(57)【要約】      （修正有）【課題】屋内・屋外に拘らず、より簡便に自分の好みに焙煎したコーヒーを飲むことができるマグカップを提供する。【解決手段】胴部と底部からなるカップ本体を有するマグカップにおいて、胴部の内側が下部ほど直径が小さい逆円錐台状に形成され、カップ本体の内側壁面２１と内側底面３１とのなす角度θ１が１１８〜１２３度であり、胴部内にコーヒー抽出用のペーパーフィルター５を装着可能にしたことを特徴とするコーヒードリッパー兼用のマグカップである。【選択図】図１
0003211430.tif 000002
【実用新案登録請求の範囲】
【請求項１】
胴部と底部からなるカップ本体を有するマグカップにおいて、
前記胴部の内側が下部ほど直径が小さい逆円錐台状に形成され、前記カップ本体の内側壁面と内側底面とのなす角度θ１が１１８〜１２３度であり、
前記胴部内にコーヒー抽出用のペーパーフィルターを装着可能にしたことを特徴とするコーヒードリッパー兼用のマグカップ。
【請求項２】
前記角度θ１が１２１〜１２２度であることを特徴とする請求項１に記載のコーヒードリッパー兼用のマグカップ。
【請求項３】
左右の前記内側壁面を延伸してなす円錐形頂角θ２が６２〜６４度であることを特徴とする請求項１または２に記載のコーヒードリッパー兼用のマグカップ。
【考案の詳細な説明】
【技術分野】
【０００１】
本考案は、焙煎したコーヒーを手軽に飲むことができるコーヒードリッパー兼用のマグカップに関する。
【背景技術】
【０００２】
従来より、本格コーヒーを家庭などで飲む方法の代表的なものにドリップ式がある。これは、下部に１個〜複数個の小孔を有した上方開口のすり鉢状（逆円錐台状）ドリップと、コーヒー用フィルターとを用いるもので、取扱いが比較的容易で一般家庭でも普及している。
【０００３】
かかるドリップ式においては、ドリッパー（ドリップ本体）やフィルターへの改良がなされ、例えば、特許文献１では、ドリップ本体を兼ねたセラミック製のフィルターが提案されている。この発明では、当該フィルターがカップ本体に着脱可能に収容され、ペーパーフィルターが不要になる特長がある。しかしながら、コップ本体とドリッパー兼用のフィルター本体とが必要で、これらによる容積や重さの点では必ずしも有利とは言えない。また、当該フィルターに設けられた多数の小穴周りの洗浄に難がある問題もある。
【０００４】
一方、特許文献２に記載のような、ドリップ式コーヒーバッグも広く普及し、コンビニやスーパーなどでインスタントコーヒー同様に市販されている。このタイプのものは確かにより簡易化され、携帯にも便利ではあるが、自分の好みに焙煎・ブレンドしたようなコーヒー豆は扱えず、また、個々に１回あたりの使用量も決められ、マグカップのような大き目のサイズのコップには上手く適合しなかったり、抽出中にカップ上のコーヒーバッグが落下する恐れもあった。
【先行技術文献】
【特許文献】
【０００５】
【特許文献１】特開２０１０−２５９４５４号公報
【特許文献２】実開平６−６２９３９号公報
【考案の概要】
【考案が解決しようとする課題】
【０００６】
本考案の目的は、屋内・屋外に拘らず、より簡便に自分の好みに焙煎したコーヒーを飲むことができるマグカップを提供することである。
【課題を解決するための手段】
【０００７】
上述したように従来では、ドリップ式においてはドリップ本体やフィルターへの改良に注がれていたが、本考案者は視点を変え、マグカップへの改良を行い、本考案を完成させた。
【０００８】
すなわち、本考案は、胴部と底部からなるカップ本体を有するマグカップにおいて、
前記胴部の内側が下部ほど直径が小さい逆円錐台状に形成され、前記カップ本体の内側壁面と内側底面とのなす角度θ１が１１８〜１２３度であり、
前記胴部内にコーヒー抽出用のペーパーフィルターを装着可能にしたことを特徴とするコーヒードリッパー兼用のマグカップに関するものである。
【考案の効果】
【０００９】
本考案のマグカップは、ドリップ本体を合体させた形を成すので、別途ドリップを用意する必要がなく、自分の好みに焙煎したコーヒーを家庭のみならず、屋外でも安心して楽しむことができる。
【図面の簡単な説明】
【００１０】
【図１】本考案のマグカップの構成の一例を示す概略断面図である。
【図２】本考案のマグカップの好ましい形態を示す概略説明図である。
【図３】本考案のマグカップの使用例を示す概略説明図である。
【考案を実施するための形態】
【００１１】
図１は、本考案のマグカップの特徴的な構成を説明するための概略断面図である。
【００１２】
マグカップ１は、胴部２と底部３からなるカップ本体と、ハンドル４から構成され、図１（a）に示すマグカップ１の内側壁面２１と内側底面３１とのなす角度θ１が１１８〜１２３度であることが必要である。この範囲内であることで、コーヒー抽出用のペーパーフィルター５が内側壁面２１全体にわたって均一に接触し、カップ内にペーパーフィルターを安定してセットすることができる。この範囲から外れると、フィルターのカップ内へのセット後にコーヒー粉を入れお湯を注いだ際に、フィルターの一定の形態が崩れ、抽出に支障が出やすく、フィルター内のコーヒー粉がフィルター外に漏れ出てしまう恐れもある。
【００１３】
上記角度θ１は、好ましくは１２１〜１２２度であり、市販のペーパーフィルターを特に何も工夫しないで装填することができる。
【００１４】
また、左右の内側壁面２１を延伸してなす円錐形頂角θ２を想定すると、当該θ２は６２〜６４度の範囲であることが好ましく、市販のペーパーフィルターを特に何も工夫しないで装填することができる。
【００１５】
ペーパーフィルターには台形型と円錐型があり、本考案のマグカップにはいずれも使用可能であり、図１中のペーパーフィルター５は円錐型のものである。このペーパーフィルター５の底の部分をカップの内側底面４１に合わせて折りこみ、マグカップ１内にセットし、次いで所定量のコーヒー粉６を入れる。
【００１６】
内側壁面２１の開口周縁部と底面内側面３１との長さは、特に限定されないが、７．５〜８．５ｃｍであると、安定して抽出できるほか、市販のペーパーフィルター（例えば、２〜３杯用、３〜４杯用）で、カップからはみ出ている部分を確保できるため、使用済みコーヒー粉ごとペーパーフィルターを捨てる際に有利である。
【００１７】
また、内側底面４１は、直径２〜３ｃｍの範囲の円形であることが、ペーパーフィルターの折りこみ易さ、洗浄の容易さとマグカップの安定感の点で好ましい。
【００１８】
一方、本考案のマグカップの内側壁面２１は、内側底面４１となす角度θ１が上記範囲にあることが必要であるが、外側壁面２２はこの限りではない。
【００１９】
すなわち、マグカップは飲み手の口が触れることになる開口周縁部の厚さが薄い方が、飲み物が飲みやすく、口から漏れにくくすることができるため好ましいが、図１に示すように、内側壁面２１と外側壁面２２によるマグカップ胴部の厚みを、マグカップ開口部から底部に向けて順次増すようにすれば、マグカップの重心がより低くなって安定感が増す。また、この場合はテーブルなどに接地する平坦な外側底面４２をより大きくできるため、安定感が増す。
【００２０】
図２は、更に安定感を向上させた形態のマグカップを示している。図２の（ａ）〜（ｅ）のいずれのものも、マグカップの上記内側壁面と内側底面とのなす角度の関係は同様であるが、マグカップの外側壁面や底部近傍に工夫を加えており、高台７が形成されている。いずれのデザインのものも、より安定感に優れている。
【００２１】
本考案のマグカップは、その構造が複雑なものでもないことから、陶磁器製、耐熱ガラス製、金属製、硬質プラスチック製のいずれでも、一体成型により得ることができる。例えば、陶磁器製は保温性に優れ、硬質プラスチック製は軽量でアウトドアでの使用に有利である。また、金属製で外側壁面と内側壁面との中空二重構造にすると保温性も確保できる。
【００２２】
カップ本体の外側壁面２２に設けられるハンドル４は、その機能が発揮できれば、大きさや形状は特に限定されない。
【００２３】
なお、本考案のマグカップは、コーヒー抽出以外では普通のマグカップとして利用可能である。
【００２４】
図３は、本考案のマグカップを用いた使用態様を示しており、この使用例に沿った具体的な実施例を以下に示す。
【実施例】
【００２５】
図１において、角度θ１が１２２度（左右の内側壁面２１を延伸してなす円錐形頂角θ２は６４度）、開口部の直径が約１０．５ｃｍ、内側底部４１の直径が約２ｃｍ、内側壁面２１の開口周縁部と底面内側面３１との長さが約８ｃｍの陶器製のマグカップを作製した。また、マグカップ胴部の厚みは、開口部付近で約０．５ｃｍ、底部付近で約１ｃｍである。
【００２６】
ペーパーフィルターとして、市販のハリオ社製のペーパーフィルター（円錐型・Ｖ６０、３〜４杯用）を用意した。コーヒーには、生豆を自家焙煎し、さらにコーヒーミルで挽いてコーヒー粉としたものを用意した。
【００２７】
上記マグカップに上記ペーパーフィルターを、フィルター底の部分をカップ底に合わせて約２ｃｍ折りこんでからセットした（図３ｂ）。この状態で、ペーパーフィルターがカップ縁から約２ｃｍはみ出ている。
【００２８】
次に、セットしたフィルター内にコーヒー粉約１０ｇを入れ、少量のお湯を全体に注ぎつつ２０秒待ってから、残りのお湯を注いだ（図３ｃ）。さらに２分経過後にスプーンでかき混ぜてから、カップからはみ出ているフィルターを両手の指で左右つかみ、ゆっくり引き上げた（図３ｄ）。コーヒーが落ち切ったら、使用済みコーヒー粉ごとペーパーフィルターを捨てて、所望のコーヒーを得た。
【００２９】
使用後の洗浄は、少量の水でも容易に行うことができた。
【産業上の利用可能性】
【００３０】
本考案は、一般家庭向けのコーヒー製品関連を製造する産業のほか、普通にマグカップとしても使える利便性から、キャンプ、登山や釣りなどのアウトドア製品を製造する産業に利用される。
【符号の説明】
【００３１】
１・・・マグカップ
２・・・胴部
３・・・底部
４・・・ハンドル
５・・・ペーパーフィルター
６・・・コーヒー粉
７・・・高台
２１・・内側壁面
２２・・外側壁面
３１・・内側底面
３２・・外側底面
θ１・・内側壁面２１と内側底面４１とのなす角度
θ２・・左右の内側壁面２１を延伸してなす円錐形頂角
【図１】
0003211430.tif 000003
【図２】
0003211430.tif 000004
【図３】
0003211430.tif 000005